(57)【特許請求の範囲】
【請求項１】
投与開口（５）を備えた首部（４）を上方領域に有し、流体製品を収容するための中空本体（２）と、前記開口（５）を閉塞する閉塞手段（７）を支持する握り部（６）によって構成された密閉手段（３）とを備え、前記閉塞手段（７）が前記握り部（６）に強固に連結されてなり、
前記密閉手段（３）が、前記閉塞手段（７）と実質的に同軸であり、前記握り部（６）に、その外面に形成され予め設定された割れ領域（９）に沿って固定され、かつ前記首部（４）に付着するよう係止された少なくとも一つの輪状バンド（８）を備え、
前記首部（４）が、実質的に同軸になるように相互に並べられた二つの実質的に円筒状の部分である上部（１２）および下部（１１）によって構成され、前記下部（１１）が、前記バンド（８）の下端（１４）の収容に適した輪状座部（１３）を形成するように前記上部（１２）より大きな直径を有し、前記上部（１２）が前記投与開口（５）を備え、かつ前記輪状バンド（８）に挿入可能であることを特徴とする特に流体製品用の再密閉可能な容器。
【請求項２】
前記投与開口（５）に近接する前記首部（４）に形成され、かつ前記バンド内に座部を形成する対応溝（２４）に挿入できる少なくとも一つの長いリッジ（２３）を備え、前記少なくとも一つのリッジ（２３）と前記対応溝（２４）との間の連結が、前記首部（４）に対する前記バンドの回転の防止に適していることを特徴とする請求項１に記載の容器。
【請求項３】
首部（４）の上部（１２）に突出し相互に対向するように形成され、かつ相互に対向するように前記バンドに形成された二つの対応溝（２４）に挿入可能である、二つの前記長いリッジ（２３）を備えたことを特徴とする請求項１に記載の容器。
【請求項４】
前記バンド（８）を前記首部（４）と連動するように連結する手段（１５）を備えたことを特徴とする請求項１〜３のいずれか一つに記載の容器。
【請求項５】
前記連動するように連結する手段は複数の凸部（１５）によって構成され、それらの凸部がバンド（８）の前記下端（１４）に形成され、かつ前記輪状座部（１３）に形成された対応逆形凹部（１６）に挿入可能であることを特徴とする請求項４に記載の容器。
【請求項６】
前記連動するように連結する手段が、バンド（８）の前記下端（１４）に形成された複数の凸部（１５）によって構成され、かつそれらの凸部が、前記輪状座部（１３）に形成された対応補完形凹部に挿入可能であることを特徴とする請求項４に記載の容器。
【請求項７】
前記バンド（８）が、前記首部（４）に接着されたことを特徴とする請求項１〜６のいずれか一つに記載の容器。
【請求項８】
前記予め設定された割れ領域（９）が、少なくとも二つの開放可能なブリッジ（１７）によって構成され、そのブリッジが、実質的に対向して配置され、かつ前記握り部（６）を前記輪状バンド（８）の外面に接続することを特徴とする請求項１〜７のいずれか一つに記載の容器。
【請求項９】
前記閉塞手段（７）が、前記開口（５）に密閉して挿入可能な、実質的に円筒状のプラグによって構成されたことを特徴とする請求項１〜８のいずれか一つに記載の容器。
【発明の詳細な説明】
【０００１】
技術分野
本発明は、再密閉可能な容器であって、特に、例えば、医薬品、医療品および化粧品のごとき流体製品用で、高分子材料を射出成形することによって通常製造される再密閉可能な容器に関する。
【０００２】
背景技術
別々に作られた後、組み立てられる二つの別部品を備え、高分子材料で作られた再密閉可能な容器は既に知られている。
第１の部品は、予め設定された投与量の製品を収容する中空本体で構成され、該本体は製品を投与する口を備えている。
第２の部品は、密閉手段によって構成され、該密閉手段を、投与口を閉じるために本体に連結できる。
これら従来の容器は、第三者がその容器をいじったり（tamper with）
および／またはそれらを開封しようとしても、使用者が容易に且つすばやく見つけることができないという事実を含む欠点を除くことができない。
【０００３】
換言すれば、それらをいじったりおよび／または開封しようとしても、前記容器内に使用者が容易に見つけることができる形跡を通常残さない；依って、使用者は、例えば外部の汚染物質による汚染によって、その組成または品質を変更するように変化を受けた製品をそれらの変化に気づかずに使用するかもしれない。一体に形成された、すなわち製品収容本体が密閉手段と共に単一のユニットとして切れ目なしに形成された容器も知られている。
密閉手段は、安全シールとなる変形可能で損傷可能な要素によって、本体に接続される。このような要素の変形および／または損傷はいずれもいじった形跡を表す。
しかしながら、これらの容器を一体に製造するには、非常に複雑な金型の使用と高い製造コストとを必要とする。
【０００４】
発明の開示
本発明の狙いは、特に流体製品用の再密閉可能な容器を提供することによって、従来容器の上述の欠点を減らすことであり、その容器は、それにどのようにいじり、開封しようとしても、使用者がはっきり気づくことができるわかりやすい方法で明らかにするものである。
本発明の容器のもう一つの目的は、その中に収容する製品の品質を、特に医薬品、医療品および化粧品の場合に、使用者にとってより大きな安全性をもたらすように十分保証することである。
【０００５】
最後に、本発明のもう一つの目的は、容器を形成するために要求された金型の構造をシンプル化することである。
この狙いの中で、本発明のもう一つの目的は、シンプルで、実際の提供が比較的容易で、使用に安全で、作用が効率的で、かつコストが比較的低い構造体を提供することである。
この狙いと、後でもっとはっきりするこれらのおよび他の目的とは、上方領域に投与開口を備えた首部を有し、製品を収容するための中空本体と、前記開口を閉塞する手段を支持する握り部によって構成された密閉手段とを備え、前記密閉手段が前記握り部に強固に連結されてなる再密閉可能な容器であって、前記密閉手段が、前記閉塞する手段と実質的に同軸であり、前記握り部に、その外面に形成され予め設定された割れ領域に沿って固定され、かつ前記首部に付着するよう係止された少なくとも一つの輪状バンドを備えたことを特徴とする再密閉可能な容器によって達成される。
【０００６】
本発明を実施する方法
図を参照して、１は、例えば医薬品、医療品および化粧品のような特に流体製品用の再密閉可能な容器（a reclosable container）を一般的に示す。
容器１は、通常、ポリエチレンまたはポリプロピレンのごとき高分子材料で、射出成形のごとき成形方法により作られる。
容器１は、二つの部分：すなわち、製品を収容する中空本体２と、成形後、相互に組み立てられる密閉手段３とで構成される。
【０００７】
本体２は、実質的に長手方向に拡大され、上方領域に首部４を有し、その首部には製品投与開口５を形成している。
密閉手段３は、握り部６によって構成され、その握り部は、実質的に横に配設され、かつそれに強固に連結して、例えば、前記開口５に密閉して挿入可能な円筒状プラグ７のごとき、開口５を閉塞する手段を支持する。
密閉手段３は、輪状バンド８をさらに備え、その輪状バンドは、プラグ７と実質的に同軸であり、かつ外側面に形成された予め設定された割れ領域（preset-fracture regions）９に沿って握り部６に固定され；そんなバンド８は首部に接着するよう係止される。
予め設定された寸法の隙間１０は、バンド８とプラグ７との間に形成され、首部４はその中に挿入可能である。
【０００８】
首部４は、異なる寸法を有する二つの実質的に円筒状の部分：すなわち、実質的に同軸になるように相互に並ぶ下部１１と上部１２とで構成されるのが有利である。
下部１１は、上部１２より大きな直径を有し、その基部には輪状座部１３を備え、バンド８の下端１４を収納するのに適している。
上部１２は、内部に開口５を備え、バンド８とプラグ７との間に区画形成される隙間１０に挿入可能である。
【０００９】
容器１は、バンド８の、首部４と連動するように連結する連結手段を備え、その手段は、バンド８の下端１４で形成され、かつ座部１３に形成された対応補完形凹部１６に挿入可能な複数の凸部１５によって構成されるのが便利である。
代替として、凸部を座部１３に近接して形成でき、バンド８の下端１４に形成された対応補完形凹部に挿入できる。
さらに、バンド８を首部４に接合し、接着または密閉によって固定することができ、その密閉は熱、超音波または高周波の類のいずれかで可能である。
予め設定された割れ領域９は、実質的に相互に対向し、握り部６をバンド８の外側面に連結する二つの開放可能なブリッジ１７によって構成される。
【００１０】
領域９は、握り部６とバンド８の外側面との間に形成された羽、ストラップまたは単純な割れラインによっても構成できる。
容器１は、パック１８を構成するようにセットで構成されるのが有利である。
パック１８の二つの連用容器１の本体２は、それぞれの連結はね１９を備え、それらの羽根が設定割れライン２０に沿って相互に加わり、一方、各密閉手段３の握り部６は設定割れライン２１に沿って相互に連結される。従って、使用時には、容器１だけをパック１８から分離できる。
最後に、本体２は、下方領域に、製品を容器１に導入するための口２２を備えている；その口は密閉によって閉塞可能である。
【００１１】
対向する二つの長いリッジ２３は、首部４の上部１２に設けられ、そこから突出し、かつバンド８の内壁に形成された二つの対応溝２４に入るのが有利である。
リッジ２３と各対応溝２４との連結は、さらに、バンド８が回転することや、容器１を開放する際に首部４から係合解除することを防止する。
密閉手段３と本体２は、二つの部品として別々に形成され、開口５にプラグ７を挿入することによって、次いで首部４の上部１２を隙間１０にバンド８の下端１４が座部１３に接触するまで挿入することによって相互に組み立てられる。
この構成では、バンド８は首部４を外から覆い、その上部１２がバンド８から上方へ突出する。
【００１２】
バンド８は、例えば下端１４が首部４の下部１１につながるラインに沿って、首部４に連結、接着および／または密封され；依って、それは前記首部４に付着するよう固定され、しかもそれは開放可能なブリッジ１７によって握り部６に固定される。
例えば超音波法によって、もしバンド８が首部４に密封されると、リッジ２３が溝２４より大きくなり；この方法では、一旦リッジ２３が溝に強制的に押し込められると、余分の材料が局部的に溶け、密封工程を促進し、かつバンド８を首部４上にしっかり固定するのが有利である。
製品は口２２を介して本体２に導入され、続いてその口が密封によって閉塞される。
【００１３】
密閉手段３と本体２との相互の配置を変更するための、容器１のいかなる開放および／またはそれへのいじる企ても、一旦組み立てられ包装されると、例えば、本体に対するねじれの圧力および／または閉塞手段の牽引の付与のごとく、ブリッジ１７の破損や握り部６からのバンド８の分離が生じる。
バンド８は、首部４に対する付着を継続し、容器１が開放されるか、いじられたことを明確に示す。
実際に、記載の発明が所望の狙いおよび目的を達成することが観察された。
【００１４】
このように考えられた本発明は、そのすべてが添付の請求の範囲の範囲内の無数の変更や変形を可能にする。
すべての細部は、他の技術的に等価の要素とさらに置き換えられてもよい。
実際には、用いられた材料は、形状や寸法と同様に、要求によりいかなるものであってもよく、添付の請求の範囲の保護範囲をそれによって断念することはない。
この出願が優先権を主張するイタリア特許出願Ｎｏ．ＭＯ２０００Ａ０００１３０における開示は、ここに参照により一体化される。
【図面の簡単な説明】
本発明の更なる特徴および利点は、限定されない実施例でのみ添付図面に図解された、特に流体用で再密閉可能な容器の好ましいが限定されない実施の態様の詳細な説明からより明瞭になろう。
【図１】  本発明による複数の容器の正面図である。
【図２】  図１の容器の平面図である。
【図３】  図１の容器の線III−iiiに沿う断面図である。
【図４】  本発明による容器の細部の拡大部分断面図である。
【図５】  図４の細部の分解部分断面図である。
【図１】
0004698924.tif 000002
【図２】
0004698924.tif 000003
【図３】
0004698924.tif 000004
【図４】
0004698924.tif 000005
【図５】
0004698924.tif 000006